(57)【要約】  通信システムは、第１端末と、第１端末を収納可能な収納部を備えるとともに第１端末と無線通信を行う第２端末と、を備える。第１端末は、赤外光を発光する第１発光部と、赤外光を受光する第１受光部と、第１コントローラと、を備える。第１コントローラは、第１受光部を介してペアリング要求信号を受け取ると、第１特定情報に基づいて第１発光部を発光させる。第２端末は、第１端末が収納されたことを検出する第２収納センサと、赤外光を発光する第２発光部と、赤外光を受光する第２受光部と、第２コントローラと、を備える。第２コントローラは、第２収納センサが第１端末の収納を検出するのに応じて、ペアリング要求信号に基づいて第２発光部を発光させ、第２受光部を介して受け取る情報が第１特定情報を含むときに、その情報に応じた制御を行う。
2018179784.tif 000002
【特許請求の範囲】
【請求項１】
第１端末と、
前記第１端末を収納可能な収納部を備えるとともに前記第１端末との間で無線通信を行う第２端末と、を備え、
前記第１端末は、
赤外光を発光する第１発光部と、
赤外光を受光する第１受光部と、
前記第１端末を特定するための第１特定情報を記憶する第１メモリと、
前記第１受光部が受光する前記赤外光を復調した信号がペアリング要求信号を含むと判断したときに、前記第１特定情報に基づいて前記第１発光部を発光させる第１コントローラと、を備え、
前記第２端末は、
前記収納部に前記第１端末が収納されたことを検出する第２収納センサと、
赤外光を発光する第２発光部と、
赤外光を受光する第２受光部と、
第２メモリと、
前記第２収納センサが前記第１端末の収納を検出するのに応じて、前記ペアリング要求信号に基づいて前記第２発光部を発光させ、前記第２受光部が受光する赤外光を復調した前記第１特定情報を前記第２メモリに記憶させ、前記第２受光部が受光する赤外光を復調した情報が前記第２メモリに記憶した前記第１特定情報を含むと判断したときに、前記情報に応じた制御を行う第２コントローラと、を備える、
通信システム。
【請求項２】
前記第１端末は、前記第１受光部よりも待機電力が低く、赤外光を検出する検出素子を備え、
前記第２コントローラは、前記第２収納センサが前記第１端末の収納を検出するのに応じて、復帰要求信号に基づいて前記第２発光部を発光させた後で、前記ペアリング要求信号に基づいて前記第２発光部を発光させ、
前記第１コントローラは、スリープ状態であるときに前記検出素子が前記赤外光を検出するのに応じて動作を再開する、
請求項１記載の通信システム。
【請求項３】
前記第１端末は、前記収納部に前記第１端末が収納されたことを検出する第１収納センサを備え、
前記第１コントローラは、スリープ状態であるときに前記第１収納センサが前記第１端末の収納を検出し且つ前記検出素子が前記赤外光を検出するのに応じて動作を再開する、
請求項２記載の通信システム。
【請求項４】
第１端末と、
前記第１端末と無線通信を行い、前記第１端末と係合可能な第２端末と、を備え、
前記第１端末は、
赤外光を発光する第１発光部と、
赤外光を受光する第１受光部と、
前記第１端末を特定するための第１特定情報を記憶する第１メモリと、
前記第１受光部が受光する前記赤外光を復調した信号がペアリング要求信号を含むと判断したときに、前記第１特定情報に基づいて前記第１発光部を発光させる第１コントローラと、を備え、
前記第２端末は、
前記第１端末と係合したことを検出する第２係合センサと、
赤外光を発光する第２発光部と、
赤外光を受光する第２受光部と、
第２メモリと、
前記第２収納センサが前記第１端末の収納を検出するのに応じて、前記ペアリング要求信号に基づいて前記第２発光部を発光させ、前記第２受光部が受光する赤外光を復調した前記第１特定情報を前記第２メモリに記憶させ、前記第２受光部が受光する赤外光を復調した情報が前記第２メモリに記憶した前記第１特定情報を含むと判断したときに、前記情報に応じた制御を行う第２コントローラと、を備える、
通信システム。
【請求項５】
前記第２端末は、前記第２発光部を介して、前記第２端末を特定するための第２特定情報を前記第１端末に送信する、
請求項１〜４のいずれかに記載の通信システム。
【請求項６】
前記第２特定情報は前記ペアリング要求信号に含まれる、
請求項５記載の通信システム。
【発明の詳細な説明】
【技術分野】
【０００１】
本開示は、２つの機器の間でペアリングを行って無線通信を行う通信システムに関する。
【背景技術】
【０００２】
特許文献１は、操作対象装置に信号を送信可能な操作側第１通信部と、操作対象装置と信号を送受信可能な操作側第２通信部と、操作対象装置にペアリングの開始を指示するペアリング開始信号を、操作側第１通信部を介して送信するペアリング開始手段と、操作側第２通信部を介してペアリングを行う操作側ペアリング実行手段とを備える遠隔操作装置を開示する。この構成により、ユーザに負担をかけずに容易にペアリングを行うことができる。
【先行技術文献】
【特許文献】
【０００３】
【特許文献１】特開２００９−２６０９３４号公報
【発明の概要】
【発明が解決しようとする課題】
【０００４】
本開示は、容易にペアリングを行うことが可能な通信システムを提供する。
【課題を解決するための手段】
【０００５】
本開示における第１の態様に係る通信システムは、第１端末と、第１端末を収納可能な収納部を備えるとともに第１端末との間で無線通信を行う第２端末と、を備える。第１端末は、赤外光を発光する第１発光部と、赤外光を受光する第１受光部と、第１端末を特定するための第１特定情報を記憶する第１メモリと、第１コントローラと、を備える。第１コントローラは、第１受光部が受光する赤外光を復調した信号がペアリング要求信号を含むと判断したときに、第１特定情報に基づいて第１発光部を発光させる。第２端末は、収納部に第１端末が収納されたことを検出する第２収納センサと、赤外光を発光する第２発光部と、赤外光を受光する第２受光部と、第２メモリと、第２コントローラと、を備える。第２コントローラは、第２収納センサが第１端末の収納を検出するのに応じて、ペアリング要求信号に基づいて第２発光部を発光させ、第２受光部が受光する赤外光を復調した第１特定情報を第２メモリに記憶させ、第２受光部が受光する赤外光を復調した情報が第２メモリに記憶した第１特定情報を含むと判断したときに、情報に応じた制御を行う。【０００６】
本開示における第２の態様に係る通信システムは、第１端末と、第１端末と無線通信を行い、第１端末と係合可能な第２端末と、を備える。第１端末は、赤外光を発光する第１発光部と、赤外光を受光する第１受光部と、第１端末を特定するための第１特定情報を記憶する第１メモリと、第１コントローラと、を備える。第１コントローラは、第１受光部が受光する赤外光を復調した信号がペアリング要求信号を含むと判断したときに、第１特定情報に基づいて第１発光部を発光させる。第２端末は、第１端末と係合したことを検出する第２係合センサと、赤外光を発光する第２発光部と、赤外光を受光する第２受光部と、第２メモリと、第２コントローラと、を備える。第２コントローラは、第２収納センサが第１端末の収納を検出するのに応じて、ペアリング要求信号に基づいて第２発光部を発光させ、第２受光部が受光する赤外光を復調した第１特定情報を第２メモリに記憶させ、第２受光部が受光する赤外光を復調した情報が第２メモリに記憶した第１特定情報を含むと判断したときに、情報に応じた制御を行う。
【発明の効果】
【０００７】
本開示における通信システムは、容易にペアリングを行うのに有効である。
【図面の簡単な説明】
【０００８】
【図１】実施の形態１における航空機内に設けられた機内モニタシステムの配置を示す図
【図２】実施の形態１における機内モニタシステムの構成を示すブロック図
【図３】実施の形態１におけるクレードル及びリモコンの各部の位置関係を示す図
【図４】実施の形態１における機内モニタの電気的構成を示すブロック図
【図５】実施の形態１におけるクレードルの電気的構成を示すブロック図
【図６】実施の形態１におけるリモコンの電気的構成を示すブロック図
【図７】実施の形態１における機内モニタシステムにおけるペアリング及びペアリング後の動作を説明するためのシーケンス図
【図８】実施の形態２におけるクレードル及びリモコンの各部の位置関係を示す図
【図９】実施の形態２におけるリモコンの電気的構成を示すブロック図
【図１０】実施の形態２における機内モニタシステムにおけるペアリング及びペアリング後の動作を説明するためのシーケンス図
【図１１】実施の形態３におけるクレードル及びリモコンの各部の位置関係を示す図
【図１２】実施の形態３におけるリモコンの電気的構成を示すブロック図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより請求の範囲に記載の主題を限定することは意図されていない。
【００１１】
（実施の形態１）
以下、図１〜図７を用いて、実施の形態１を説明する。
【００１２】
［１−１  構成］
図１は、実施の形態１における航空機内に設けられた機内モニタシステム１の配置を示す図である。航空機内には、乗客（ユーザ）が着座するための複数の座席５００が設けられている。座席５００の背もたれの背面側の所定位置には、機内モニタ２００とクレードル３００とがそれぞれ設けられる。機内モニタ２００の各々は、同じ構成を備えている。クレードル３００の各々は、同じ構成を備えている。クレードル３００は、収納部３１１を備える。クレードル３００は、収納部３１１にリモコン４００を収納することができる。リモコン４００の各々は、同じ構成を備えている。
【００１３】
図１に示すように、機内モニタ２００とクレードル３００とは、機内モニタ２００とクレードル３００とが装着された座席５００の後ろの座席５００に着座する乗客と対向する位置に、乗客から視認可能なように設置される。乗客は、座席５００に着座した状態で、前の座席５００に設けられた機内モニタ２００のタッチパネル（後述）またはリモコン４００を操作し、また、機内モニタ２００に表示される映像を鑑賞することで、各種の機内サービスを受けることが可能である。乗客は、リモコン４００をクレードル３００に収納した状態で、又はクレードル３００から取り出した状態で、操作することができる。なお、航空機は、輸送機器の一例である。リモコンは、第１端末の一例である。クレードルは、第２端末の一例である。
【００１４】
図２は、機内モニタシステム１の構成を示すブロック図である。機内モニタシステム１は、機内モニタ２００とクレードル３００とリモコン４００とを備える。
【００１５】
機内モニタ２００は、サーバ装置から配信されたコンテンツの再生等が可能である。機内モニタ２００は、クレードル３００と有線接続されており、クレードル３００と有線による通信が可能である。また、クレードル３００は、リモコン４００と赤外線信号による無線通信が可能である。すなわち、機内モニタ２００は、クレードル３００を介してリモコン４００からの操作内容を受信し、受信した操作内容に対応した処理を行うことが可能である。機内モニタシステムは、通信システムの一例である。
【００１６】
図３は、クレードル３００及びリモコン４００の各部の位置関係を示す図である。図３は、リモコン４００をクレードル３００の収納部３１１に収納した状態を示している。
【００１７】
クレードル３００は、磁気センサ３０４と、赤外線受信部３０５と、赤外線送信部３０６とを備える。クレードル３００は、リモコン４００を収納するための収納部３１１と、ＩＲ（ＩｎｆｒａＲｅｄ）窓３１３とを備える。収納部３１１は、リモコン４００を保持可能な凹部形状をしており、底面３１２及び側面３１５を備える。磁気センサ３０４は、底面３１２の内側に配置される。ＩＲ窓３１３は、側面３１５に設けられる。ＩＲ窓３１３は、赤外線を透過する材料で形成される。赤外線受信部３０５は、ＩＲ窓３１３の内側に配置され、ＩＲ窓３１３を通して外部からの赤外線信号の受信が可能である。赤外線送信部３０６は、ＩＲ窓３１３の内側に配置され、ＩＲ窓３１３を通して外部への赤外線信号の送信が可能である。赤外線受信部３０５は、第２受光部の一例である。赤外線送信部３０６は、第２発光部の一例である。
【００１８】
リモコン４００は、赤外線受信部４０５と、赤外線送信部４０６と、磁石４０９と、操作部４１１と、ＩＲ窓４１３とを備える。磁石４０９は、リモコン４００の底面４１２の内側に配置される。操作部４１１は、押しボタンやタッチパネル等の入力インターフェースであり、リモコン４００の上面４１４に設けられる。ＩＲ窓４１３は、リモコン４００の側面４１５に設けられる。ＩＲ窓４１３は、赤外線を透過する材料で形成される。赤外線受信部４０５は、ＩＲ窓４１３の内側に配置され、ＩＲ窓４１３を通して外部からの赤外線信号の受信が可能である。赤外線送信部４０６は、ＩＲ窓４１３の内側に配置され、ＩＲ窓４１３を通して外部への赤外線信号の送信が可能である。赤外線受信部４０５は、第１受光部の一例である。赤外線送信部４０６は、第１発光部の一例である。磁石４０９は、磁化された磁性体の一例である。
【００１９】
クレードル３００にリモコン４００を収納した状態において、クレードル３００の底面３１２とリモコン４００の底面４１２とは対向する。クレードル３００にリモコン４００を収納した状態において、クレードル３００の磁気センサ３０４とリモコン４００の磁石４０９とは、クレードルの底面３１２とリモコン４００の底面４１２とを挟んで対向する。ここで、クレードルの底面３１２及びリモコン４００の底面４１２は、各々樹脂等の非磁性体で形成されている。したがって磁気センサ３０４は、クレードル３００にリモコン４００を収納した状態において、磁石４０９が発生する磁界を検出可能である。
【００２０】
クレードル３００にリモコン４００を収納した状態において、クレードル３００のＩＲ窓３１３とリモコン４００のＩＲ窓４１３とは対向する。クレードル３００にリモコン４００を収納した状態において、クレードル３００の赤外線受信部３０５とリモコン４００の赤外線送信部４０６とは、クレードル３００のＩＲ窓３１３とリモコン４００のＩＲ窓４１３とを挟んで対向する。このとき、赤外線受信部３０５は、赤外線送信部４０６が送信する赤外線信号を受信可能である。クレードル３００にリモコン４００を収納した状態において、クレードル３００の赤外線送信部３０６とリモコン４００の赤外線受信部４０５とは、クレードル３００のＩＲ窓３１３とリモコン４００のＩＲ窓４１３とを挟んで対向する。このとき、赤外線受信部４０５は、赤外線送信部３０６が送信する赤外線信号を受信可能である。
【００２１】
図４は、機内モニタ２００の電気的構成を示すブロック図である。機内モニタ２００は、ネットワークインターフェース（Ｉ／Ｆ）２０１と、ＣＰＵ２０２と、メモリ２０３と、タッチパネル２０４と、ディスプレイ２０６と、ＵＳＢインターフェース（Ｉ／Ｆ）２０７とを備える。ネットワークインターフェース２０１は、ＣＰＵ２０２が、サーバ装置等の外部装置（図示せず）とネットワークケーブルを介して通信を実施するためのインターフェースである。
【００２２】
ＣＰＵ２０２は、メモリ２０３に格納されたプログラムを実行し、各種演算や情報処理を行う。ＣＰＵ２０２は、メモリ２０３に対して読み出しと書き込みが可能である。また、ＣＰＵ２０２は、ネットワークインターフェース２０１を介してサーバ装置との通信を行う。また、ＣＰＵ２０２は、ＵＳＢインターフェース２０７を介してクレードル３００との通信を行う。
【００２３】
メモリ２０３は、ＣＰＵ２０２が実行するプログラムや、ＣＰＵ２０２の演算結果を格納する。メモリ２０３は、フラッシュメモリやＲＡＭで構成される。
【００２４】
タッチパネル２０４は、ディスプレイ２０６の表面に配置される。乗客がディスプレイ２０６上の表示に触れると、タッチパネル２０４が触れた位置を示す情報をＣＰＵ２０２に伝送する。ＣＰＵ２０２がこの情報に応じて制御を行うことで、乗客は直感的な操作が可能である。ディスプレイ２０６はＣＰＵ２０２からの命令に従い、各種コンテンツを表示する。
【００２５】
ＵＳＢインターフェース２０７は、ＣＰＵ２０２が、クレードル３００と通信ケーブルを介して通信を実施するためのインターフェースである。
【００２６】
図５は、クレードル３００の電気的構成を示すブロック図である。クレードル３００は、ＣＰＵ３０２と、メモリ３０３と、磁気センサ３０４と、赤外線受信部３０５と、赤外線送信部３０６と、ＵＳＢインターフェース（Ｉ／Ｆ）３０７とを備える。
【００２７】
ＣＰＵ３０２は、メモリ３０３に格納されたプログラムを実行し、各種演算や情報処理を行う。ＣＰＵ３０２は、メモリ３０３に対して読み出しと書き込みが可能である。また、ＣＰＵ３０２は、ＵＳＢインターフェース３０７を介して機内モニタ２００との通信を行う。ＣＰＵ３０２は、赤外線送信部３０６から信号を送信する場合、送信したい信号に基づいて赤外線送信部３０６を発光させる。より具体的には、ＣＰＵ３０２は、送信したい信号を変調し、変調した信号に従って赤外線送信部３０６を発光させる。ＣＰＵ３０２は、第２コントローラの一例である。
【００２８】
メモリ３０３は、ＣＰＵ３０２が実行するプログラムや、ＣＰＵ３０２の演算結果や、リモコン４００のＩＤを格納する。リモコン４００のＩＤは、複数のリモコン４００の中から１つのリモコン４００を特定するための情報である。リモコンのＩＤは、第１特定情報の一例である。メモリ３０３は、フラッシュメモリやＲＡＭで構成される。メモリ３０３は、第２メモリの一例である。
【００２９】
磁気センサ３０４は、磁気センサ３０４が置かれた位置における磁界を検出する。磁気センサ３０４は、磁界がある特定の閾値を超えた場合、閾値を超えたことを示す検出信号をＣＰＵ３０２に送信する。磁気センサ３０４は、リモコン４００に具備されている磁石４０９の磁界を検出して検出信号を送信する。すなわち、リモコン４００をクレードル３００に収納すると、磁気センサ３０４は検出信号を送信する。磁気センサ３０４は、第２収納センサの一例である。
【００３０】
赤外線受信部３０５は、受光素子３０５ａと復調回路３０５ｂとを備える。受光素子３０５ａは、リモコン４００からの赤外線信号を受光する。復調回路３０５ｂは、赤外線信号から受信信号を復調し、ＣＰＵ３０２に送信する。
【００３１】
赤外線送信部３０６は、赤外光を発光するＬＥＤである。赤外線送信部３０６は、ＣＰＵ３０２で変調された信号に基づき、赤外線信号を発光する。
【００３２】
ＵＳＢインターフェース３０７は、ＣＰＵ３０２が、機内モニタ２００と通信ケーブルを介して通信を実施するためのインターフェースである。
【００３３】
図６は、リモコン４００の電気的構成を示すブロック図である。リモコン４００は、ＣＰＵ４０２と、メモリ４０３と、赤外線受信部４０５と、赤外線送信部４０６と、操作部４１１とを備える。
【００３４】
ＣＰＵ４０２は、メモリ４０３に格納されたプログラムを実行し、各種演算や情報処理を行う。ＣＰＵ４０２は、メモリ４０３に対して読み出しと書き込みが可能である。ＣＰＵ４０２は、赤外線送信部４０６から信号を送信する場合、送信したい信号に基づいて赤外線送信部４０６を発光させる。より具体的には、ＣＰＵ４０２は、送信したい信号を変調し、変調した信号に従って赤外線送信部４０６を発光させる。ＣＰＵ４０２は、第１コントローラの一例である。
【００３５】
メモリ４０３は、ＣＰＵ４０２が実行するプログラムや、ＣＰＵ４０２の演算結果や、リモコン４００のＩＤを格納する。メモリ４０３は、フラッシュメモリやＲＡＭで構成される。メモリ４０３は、第１メモリの一例である。
【００３６】
赤外線受信部４０５は、受光素子４０５ａと復調回路４０５ｂとを備える。受光素子４０５ａは、クレードル３００からの赤外線信号を受光する。復調回路４０５ｂは、赤外線信号から受信信号を復調し、ＣＰＵ４０２に送信する。
【００３７】
赤外線送信部４０６は、赤外光を発光するＬＥＤ（発光素子）である。赤外線送信部４０６は、ＣＰＵ４０２で変調された信号に基づき、赤外線信号を発光する。
【００３８】
操作部４１１は、押しボタンやタッチパネル等の入力インターフェースである。乗客が操作部４１１を操作すると、操作に応じた信号がＣＰＵ４０２に送信される。
【００３９】
［１−２  動作］
以上のように構成された機内モニタシステム１について、その動作を以下で説明する。図７は、機内モニタシステム１におけるペアリング及びペアリング後の動作を説明するためのシーケンス図である。
【００４０】
乗客や乗員が、クレードル３００の収納部３１１にリモコン４００を収納すると、クレードル３００は、収納したリモコン４００とペアリングを行う。一旦ペアリングが行われると、以後、クレードル３００は、ペアリングされたリモコン４００からの受信信号を機内モニタ２００に送信する一方、ペアリングされたリモコン４００以外からの受信信号を無視する。以下、このときの機内モニタシステム１の動作について、図７を参照し説明する。
【００４１】
［１−２−１  ペアリングの実施］
クレードル３００とリモコン４００とのペアリングの動作について説明する。クレードル３００のＣＰＵ３０２は、リモコン４００の収納を監視している。具体的には、ＣＰＵ３０２は、磁気センサ３０４から検出信号を受信するまで待機している。リモコン４００がクレードルに収納されると、クレードル３００に具備されている磁気センサ３０４と、リモコン４００に具備されている磁石４０９とが接近する。すると、磁気センサ３０４が磁石４０９の磁界を検出して、検出信号を出力する。これにより、ＣＰＵ３０２は、リモコン４００の収納を検出する（Ｓ７０１）。クレードル３００のＣＰＵ３０２は、検出信号を受信すると、リモコン４００が収納されたと判断する。そしてＣＰＵ３０２は、赤外線送信部３０６を用いて、リモコン４００にペアリング要求信号を送信する（Ｓ７０２）。ペアリング要求信号とは、クレードル３００がリモコン４００に対してペアリング動作を行うよう要求することを示す情報を含む信号である。
【００４２】
リモコン４００のＣＰＵ４０２は、赤外線受信部４０５により、クレードル３００からのペアリング要求信号を監視している。ＣＰＵ４０２は、ペアリング要求信号を受信すると、赤外線送信部４０６を用いて、自身のＩＤ（リモコン４００のＩＤ）をクレードル３００に送信する（Ｓ７０３）。クレードル３００のＣＰＵ３０２は、赤外線受信部３０５により、リモコン４００のＩＤを受信して、メモリ３０３に記憶する（Ｓ７０５）。クレードル３００は、記憶が完了すると、赤外線送信部３０６を用いて、リモコン４００に処理完了通知を送信する（Ｓ７０７）。以上の動作により、ペアリング動作が完了する。
【００４３】
［１−２−２  ペアリング後の処理］
次に、ペアリング後の機内モニタシステム１、すなわち機内モニタ２００、クレードル３００及びリモコン４００の動作について説明する。以下の説明では、リモコン４００はクレードル３００に収納された状態であってもよいし、乗客がリモコン４００をクレードル３００から取り出して、リモコン４００のＩＲ窓４１３（赤外線送信部４０６）をクレードル３００のＩＲ窓３１３（赤外線受信部３０５）に向けて保持した状態、すなわち互いに赤外線通信が可能な状態であってもよい。
【００４４】
リモコン４００のＣＰＵ４０２は、乗客や乗員によって操作部４１１の操作が行われた場合、赤外線送信部４０６を用いて、操作情報を送信する（Ｓ７１１）。操作情報は、リモコン４００のＩＤと、操作内容（例えば、決定ボタンが押されたことを示す情報）とを含む。例えば、乗客や乗員がリモコン４００の操作部４１１に含まれるボタンを押した場合、リモコン４００のＩＤとどのボタンが押されたかを示す操作内容とを含む操作情報を、赤外線送信部４０６を用いて、送信する。
【００４５】
クレードル３００のＣＰＵ３０２は、赤外線受信部３０５により、リモコン４００からの操作情報の受信を監視している。ＣＰＵ３０２は、赤外線受信部３０５により操作情報を受信すると、操作情報に含まれるリモコン４００のＩＤと、メモリ３０３に記憶されているリモコン４００のＩＤと比較する（Ｓ７１２）。
【００４６】
クレードル３００は、比較の結果、ＩＤが同じであった場合（Ｓ７１２においてＹｅｓ）、受信した操作情報がペアリングされたリモコン４００から送信されたものであると判断する。そしてＣＰＵ３０２は、この操作情報に応じた制御を行う。具体的には、ＣＰＵ３０２は、操作情報に含まれる操作内容を、ＵＳＢインターフェース３０７を用いて、機内モニタ２００に送信する（Ｓ７１３）。機内モニタ２００のＣＰＵ２０２は、ＵＳＢインターフェース２０７を用いて、クレードル３００から操作内容を受信すると、操作内容に対応する処理を実施する（Ｓ７１４）。クレードル３００は、比較の結果、ＩＤが異なる場合（Ｓ７１２においてＮｏ）、受信した操作情報がペアリングされたリモコン４００から送信されたものではないと判断し、その操作情報を無視する。
【００４７】
以下、この動作を繰り返すことにより、機内モニタ２００は、接続されたクレードル３００とペアリングされたリモコン４００の操作のみに対応して各種動作を行うことができる。
【００４８】
［１−３  効果等］
以上のように、本実施の形態において、機内モニタシステム１は、リモコン４００と、リモコン４００を収納可能な収納部３１１を備えるクレードル３００との赤外線通信を行う。リモコン４００は、赤外光を発光する赤外線送信部４０６と、赤外光を受光する赤外線受信部４０５と、リモコン４００を特定するためのリモコン４００のＩＤを記憶するメモリ４０３と、赤外線受信部４０５が受光する赤外光を復調した信号がペアリング要求信号を含むと判断したときに、リモコン４００のＩＤに基づいて赤外線送信部４０６を発光させるＣＰＵ４０２と、を備える。クレードル３００は、収納部にリモコン４００が収納されたことを検出する磁気センサ３０４と、赤外光を発光する赤外線送信部３０６と、赤外光を受光する赤外線受信部３０５と、メモリ３０３と、ＣＰＵ３０２と、を備える。ＣＰＵ３０２は、磁気センサ３０４がリモコン４００の収納を検出するのに応じて、ペアリング要求信号に基づいて赤外線送信部３０６を発光させる。そして、ＣＰＵ３０２は、赤外線受信部３０５が受光する赤外光を復調することにより取得したリモコン４００のＩＤをメモリ３０３に記憶させ、赤外線受信部３０５が受光する赤外光を復調した操作情報がメモリ３０３に記憶したリモコン４００のＩＤを含むと判断したときに、機内モニタ２００に操作内容を送信する。
【００４９】
これにより、リモコン４００がクレードル３００に収納されるだけで、リモコン４００とクレードル３００とのペアリングが行われ、以後、ペアリングされたリモコン４００によって、クレードル３００と接続された機内モニタ２００に対する操作が可能となる。すなわち、本実施の形態の機内モニタシステムは、容易にペアリングを行うのに有効である。
【００５０】
（実施の形態２）
以下、図８〜図１０を用いて、実施の形態２を説明する。実施の形態２の機内モニタシステム２が実施の形態１の機内モニタシステム１と異なるところは、リモコン４００に替えて、アクティブ状態及びスリープ状態の２つの状態を取るリモコン４２０を有することである。実施の形態１と同様の構成については同じ番号を付与し、詳細な説明を省略する。
【００５１】
［２−１  構成］
図８は、クレードル３００及びリモコン４２０の各部の位置関係を示す図である。リモコン４２０は、赤外線受信部４０５と、赤外線送信部４０６と、磁石４０９と、操作部４１１と、ＩＲトランジスタ４０８と、ＩＲ窓４１３とを備える。
【００５２】
ＩＲトランジスタ４０８は、赤外光を受光することによりオンになるフォトトランジスタである。ＩＲトランジスタ４０８は、ＩＲ窓４１３の内側に配置され、ＩＲ窓４１３を通して外部からの赤外光の受光が可能である。
【００５３】
クレードル３００にリモコン４２０を収納した状態において、クレードル３００の赤外線送信部３０６は、リモコン４２０の赤外線受信部４０５及びＩＲトランジスタ４０８と、クレードル３００のＩＲ窓３１３とリモコン４２０のＩＲ窓４１３とを挟んで対向する。
【００５４】
図９は、リモコン４２０の電気的構成を示すブロック図である。リモコン４２０は、ＣＰＵ４０２と、メモリ４０３と、赤外線受信部４０５と、赤外線送信部４０６と、ＩＲトランジスタ４０８とを備える。
【００５５】
ＩＲトランジスタ４０８は、クレードル３００の赤外線送信部３０６の発光を検出し、検出信号をＣＰＵ４０２に送信する。ここで、赤外線受信部４０５とＩＲトランジスタ４０８との違いについて説明する。赤外線受信部４０５は、赤外光（赤外線信号）を受光し、これを復調して受信信号を取り出すことができる。赤外線受信部４０５は、ＩＲトランジスタ４０８と比較してより高い周波数帯域の信号も復調することができるが、ＩＲトランジスタ４０８よりも待機電力が高い。ＩＲトランジスタ４０８は、赤外線受信部４０５と比較して、より低い周波数帯域の信号しか受光できない。このため、信号が変調された赤外線信号の受光には適さないが、赤外線受信部４０５よりも待機電力が低い。
【００５６】
［２−２  動作］
以上のように構成された機内モニタシステム２について、その動作を以下で説明する。図１０は、機内モニタシステム２におけるペアリング及びペアリング後の動作を説明するためのシーケンス図である。
【００５７】
まず、実施の形態２の機内モニタシステム２の動作の概要について説明する。乗客や乗員が、クレードル３００にリモコン４２０を収納すると、クレードル３００は、収納したリモコン４２０をスリープ状態からアクティブ状態へと遷移させて、ペアリングを行う。ペアリングが完了すると、リモコン４２０は、スリープ状態に遷移する。
【００５８】
リモコン４２０は、ボタン操作等があった場合は、スリープ状態からアクティブ状態に遷移し、動作完了後、アクティブ状態からスリープ状態に遷移する。
【００５９】
以下、このときの機内モニタシステム２の動作について図１０を参照し説明する。
【００６０】
［２−２−１  ペアリングの実施］
クレードル３００とリモコン４２０とのペアリングの動作について説明する。リモコン４２０は、ペアリング前は、スリープ状態となっている。スリープ状態とは、ＣＰＵ４０２が動作しておらず、かつ、赤外線受信部４０５を含むリモコン４２０の各部に電力が供給されず動作していない状態である。ただしスリープ状態においてもＩＲトランジスタ４０８は、赤外光を受光するとオンになり、ＣＰＵ４０２に検出信号を送信することが可能である。また、スリープ状態においても操作部４１１は、乗客によって操作されると、操作に応じた信号をＣＰＵ４０２に送信可能である。アクティブ状態とは、ＣＰＵ４０２が動作しており、かつ、リモコン４００の各部に電力が供給されており動作している状態である。また、ＣＰＵ４０２単体についても、電力がほとんど供給されず動作していないスリープ状態と、電力が供給され各部が動作しているアクティブ状態の２つの状態をとるものとする。
【００６１】
リモコン４２０がクレードル３００に収納されると、クレードル３００に具備されている磁気センサ３０４と、リモコン４２０に具備されている磁石４０９とが接近する。すると、磁気センサ３０４が磁石４０９の磁界を検出して、検出信号を出力する。これにより、ＣＰＵ３０２は、リモコン４２０の収納を検出する（Ｓ７０１）。クレードル３００のＣＰＵ３０２は、赤外線送信部３０６を用いて、リモコン４２０に復帰要求信号を発光（送信）する（Ｓ７２１）。復帰要求信号は、ＩＲトランジスタ４０８が検出可能な赤外光であればどのような信号でもよい。例えば復帰要求信号は、一定強度で一定時間発光する信号であってもよい。
【００６２】
ＩＲトランジスタ４０８は、赤外光（復帰要求信号）を受光して検出信号をＣＰＵ４０２に送信する。ＣＰＵ４０２は、この検出信号を受信すると、スリープ状態からアクティブ状態に遷移する。ＣＰＵ４０２は、さらにリモコン４２０の各部の動作を開始させることにより、リモコン４２０をスリープ状態からアクティブ状態に遷移させる（Ｓ７２２）。リモコン４２０は、アクティブ状態に遷移したこと示す復帰信号を、赤外線送信部４０６を用いて、クレードル３００に送信する（Ｓ７２３）。以降、ステップＳ７０２〜Ｓ７０７は実施の形態１と同様であるため、説明を省略する。ＣＰＵ４０２は、ペアリング完了後、一定時間リモコン４２０に対する操作が行われなければ、リモコン４２０をスリープ状態に遷移させる（Ｓ７０８）。
【００６３】
［２−２−２  ペアリング後の処理］
ペアリング後の、機内モニタ２００、クレードル３００及びリモコン４２０の動作について説明する。ここでは、リモコン４２０はペアリング完了後にスリープ状態となっているものとする。乗客や乗員が操作部４１１を操作すると、操作に応じた信号をＣＰＵ４０２に送信する。リモコン４２０のＣＰＵ４０２は、この信号を受信すると、ＣＰＵ４０２自身がアクティブ状態となった後に、リモコン４２０の状態を、スリープ状態からアクティブ状態に遷移させる（Ｓ７１０）。以降、ステップＳ７１１〜Ｓ７１４は、実施の形態１と同様であるため、説明を省略する。リモコン４２０のＣＰＵ４０２は、ステップＳ７１１における操作情報の送信後、一定時間リモコン４２０に対する操作が行われなければ、リモコン４２０をスリープ状態に遷移させる（Ｓ７１５）。
【００６４】
［２−３  効果等］
以上のように、本実施の形態の機内モニタシステム２において、リモコン４２０は、赤外線受信部４０５よりも待機電力が低く、赤外光を受光するＩＲトランジスタ４０８を備える。クレードル３００のＣＰＵ３０２は、磁気センサ３０４がリモコン４２０の収納を検出するのに応じて、復帰要求信号に基づいて赤外線送信部３０６を発光させた後、ペアリング要求信号に基づいて赤外線送信部３０６を発光させる。リモコン４００のＣＰＵ４０２は、スリープ状態であるときにＩＲトランジスタ４０８が赤外光を受光するのに応じてアクティブ状態に遷移して動作を再開する。
【００６５】
これにより、リモコン４２０がスリープ状態となっているときであっても、クレードル３００に収納されるとアクティブ状態に遷移してペアリングが行われる。すなわち、本実施の形態の機内モニタシステム２は、容易にペアリングを行うのに有効である。また、リモコン４２０は、スリープ状態であっても操作部４１１の操作が行われると、アクティブ状態に遷移して操作情報の送信を行う。スリープ状態においては、赤外線受信部４０５を含む各部が動作していないため、待機電力を低減することができる。
【００６６】
（実施の形態３）
以下、図１１〜図１２を用いて、実施の形態３を説明する。実施の形態３の機内モニタシステム３が実施の形態２の機内モニタシステム２と異なるところは、リモコン４２０に替えて磁気センサ４０４を備えるリモコン４３０を有し、クレードル３００に替えて、磁石を備えるクレードル３３０を有するところである。実施の形態２と同様の構成については同じ番号を付与し、詳細な説明を省略する。
【００６７】
［３−１  構成］
図１１は、クレードル３３０及びリモコン４３０の各部の位置関係を示す図である。クレードル３３０は、磁気センサ３０４と、赤外線受信部３０５と、赤外線送信部３０６と、磁石３０９とを備える。クレードル３３０は、リモコン４３０を収納するための収納部３１１と、ＩＲ窓３１３とを備える。収納部３１１は、底面３１２及び側面３１５を備える。
【００６８】
リモコン４３０は、磁気センサ４０４と、赤外線受信部４０５と、赤外線送信部４０６と、磁石４０９と、ＩＲトランジスタ４０８と、ＩＲ窓４１３とを備える。
【００６９】
磁気センサ４０４は、底面４１２の内側に配置される。磁石３０９は、クレードル３３０の底面３１２の内側に配置される。クレードル３３０にリモコン４３０を収納した状態において、クレードル３３０の磁石３０９とリモコン４３０の磁気センサ４０４とは、クレードルの底面３１２とリモコン４３０の底面４１２とを挟んで対向する。このとき、磁気センサ４０４は、磁石３０９が発生する磁界を検出可能である。ここで、磁気センサ４０４は、磁石４０９の磁界を検出しないような距離、または向きに配置されている。同様に、磁気センサ３０４は、磁石３０９の磁界を検出しないような距離、または向きに配置されている。
【００７０】
図１２は、リモコン４３０の電気的構成を示すブロック図である。リモコン４３０は、ＣＰＵ４０２と、メモリ４０３と、磁気センサ４０４と、赤外線受信部４０５と、赤外線送信部４０６と、ＩＲトランジスタ４０８と、ＡＮＤゲート４１０と、操作部４１１とを備える。
【００７１】
磁気センサ４０４は、磁気センサ４０４が置かれた位置における磁界を検出する。磁気センサ４０４は、磁界がある特定の閾値を超えた場合、閾値を超えたことを示す検出信号をＣＰＵ４０２に送信する。磁気センサ４０４は、クレードル３３０に具備されている磁石３０９の磁界を検出して検出信号を送信する。磁気センサ４０４は、第１収納センサの一例である。ＩＲトランジスタ４０８は、赤外光を検出する検出素子の一例である。ＩＲトランジスタ４０８は、クレードル３３０の赤外線送信部３０６の発光を検出する。磁気センサ４０４による磁界の検出と、ＩＲトランジスタ４０８による発光の検出とが同時に起こった場合、ＡＮＤゲート４１０の出力が変化し、検出信号をＣＰＵ４０２に送信する。
【００７２】
［３−２  動作］
以上のように構成された機内モニタシステム３について、その動作を以下で説明する。図１０は、機内モニタシステム３におけるペアリング及びペアリング後の動作を説明するためのシーケンス図である。以下、このときの機内モニタシステム３の動作について図１０を参照し説明する。
【００７３】
［３−２−１  ペアリングの実施］
クレードル３３０とリモコン４３０とのペアリングの動作について説明する。ステップＳ７２２以外は実施の形態２と同様のため、ステップＳ７２２のみ説明する。
【００７４】
ＩＲトランジスタ４０８は、赤外光（復帰要求信号）を受光して検出信号を送信する。磁気センサ４０４は、クレードル３３０の磁石３０９による磁界を検出して検出信号を送信する。磁気センサ４０４と、ＩＲトランジスタ４０８とが同時に検出信号を送信するときに、ＡＮＤゲート４１０は、ＣＰＵ４０２に検出信号を送信する。ＣＰＵ４０２は、ＡＮＤゲート４１０からの検出信号を受信すると、スリープ状態からアクティブ状態に遷移する。ＣＰＵ４０２は、さらにリモコン４３０の各部の動作を開始させることにより、リモコン４３０をスリープ状態からアクティブ状態に遷移させる（Ｓ７２２）。
【００７５】
［３−２−２  ペアリング後の処理］
ペアリング後の処理は、実施の形態２と同様のため、説明を省略する。
【００７６】
［３−３  効果等］
以上のように、本実施の形態の機内モニタシステム３において、リモコン４３０は、収納部３１１にリモコン４３０が収納されたことを検出する磁気センサ４０４を備える。リモコン４００のＣＰＵ４０２は、スリープ状態であるときに磁気センサ４０４がリモコン４３０の収納を検出し且つＩＲトランジスタ４０８が赤外光を受光するのに応じてアクティブ状態に遷移して動作を再開する。
【００７７】
これにより、リモコン４３０がスリープ状態になっているときであっても、クレードル３３０に収納されるとアクティブ状態に遷移してペアリングが行われる。すなわち、本実施の形態の機内モニタシステム３は、容易にペアリングを行うのに有効である。また、クレードル３３０に収納されてアクティブ状態となるときの条件が、磁気センサ４０４による検出及びＩＲトランジスタ４０８による検出の両方であるため、誤検出の可能性をより低減できる。
【００７８】
（他の実施の形態）
以上のように、本出願において開示する技術の例示として、上記実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００７９】
上記実施の形態では、一例として航空機内の機内モニタシステムを示したが、本システムは、クレードルとリモコンとを備える、新幹線、バス等の輸送機器内の無線通信システムであっても良い。
【００８０】
上記実施の形態では、クレードルがリモコンの収納を検出してペアリングの動作を開始する構成について説明した。機内モニタシステム１は、リモコンがクレードルへの収納を検出してペアリングの動作を開始する構成としてもよい。すなわち、クレードル及びリモコンにおける磁気センサ、赤外線送信部、赤外線受信部等のペアリングに関する構成及び動作が互いに逆となっており、リモコンが磁気センサにより収納を検出し、ペアリング要求信号をクレードルに送信する構成であってもよい。
【００８１】
上記実施の形態では、互いにペアリングされていることを確認するための情報として、リモコンのＩＤを使用する構成について説明した。この情報としては、クレードルのＩＤを使用するようにしてもよい。例えばクレードルがリモコンにペアリング要求信号を送信するのと同時に、またはその後に続いて、クレードルのＩＤを送信する。リモコンは、クレードルのＩＤをメモリに記憶してから完了通知をクレードルに送信する。また上記のようにリモコンからペアリング要求信号を送信する場合は、クレードルは、ペアリング要求信号を受信するのに応じてクレードルのＩＤをリモコンに送信するようにすればよい。クレードルのＩＤは第２特定情報の一例である。
【００８２】
上記実施の形態では、リモコン（第１端末）がクレードル（第２端末）の収納部に収納されることを検出してペアリングを行う構成について説明した。ペアリングを行う条件はこれに限らず、第１端末と第２端末が機械的な保持機構、または磁力等により係合可能であり、収納センサの代わりに第２端末が係合を検出する係合センサを備える構成であってもよい。
【００８３】
上記実施の形態では、クレードル及びリモコンのうち一方が磁気センサを備え、他方が磁石を備え、これらにより収納を検出する構成について説明した。磁気を用いて収納を検出する方法についてはこれに限らず、一方に磁気センサ及び磁石を配置し、他方に、磁気センサ及び磁石と対向するように鉄板等の磁性体を配置するようにしてもよい。このようにすることで、クレードルにリモコンが収納、すなわち各々が互いに接近すると、磁石が対向する磁性体を磁化するため、磁気センサが磁化された磁性体による磁界を検出する。これにより、収納を検出することができる。
【００８４】
上記実施の形態では、収納センサとして磁気センサを用いる構成について説明した。収納センサとしては、磁気センサに限らず、収納によりオン／オフが切り替わる機械的なスイッチや、収納によりオン／オフが切り替わる電気的なスイッチを用いてもよい。
【００８５】
上記実施の形態では、クレードル及びリモコンの赤外線受信部は、それぞれ受光素子と復調回路とを備える構成について説明した。赤外線受信部は、受光素子のみを備え、受光素子が受信した赤外線信号に基づいてＣＰＵが復調する構成としてもよい。
【００８６】
上記実施の形態では、クレードル及びリモコンの赤外線送信部は、ＬＥＤを備える構成について説明した。赤外線送信部は、さらに変調回路を備え、ＣＰＵから送られてくる信号を変調してＬＥＤを発光させる構成としてもよい。
【００８７】
上記実施の形態２、３では、リモコンが、アクティブ状態において一定時間操作がなければスリープ状態に遷移する構成について説明した。リモコンは、アクティブ状態において必要な動作を完了した後で、すみやかにスリープ状態に遷移するようにしてもよい。
【００８８】
上記実施の形態２、３では、スリープ状態からペアリングやペアリング後の動作を行うときについて説明した。リモコンは、アクティブ状態からペアリングやペアリング後の動作を行うことももちろん可能である。例えば、リモコンはアクティブ状態において復帰要求信号を受信した場合は、そのまま復帰信号をクレードルに送信する。また、アクティブ状態において操作部４１１を操作された場合は、そのまま操作に応じた操作情報をクレードルに送信する。
【００８９】
上記実施の形態では、機内モニタとクレードルとが別の筐体に収められ、ＵＳＢ  Ｉ／Ｆを介して接続される構成について説明した。機内モニタとクレードルとは一体の筐体に収められる、一体型の構成としてもよい。
【００９０】
上記実施の形態では、クレードルは航空機の座席の背もたれの背面側に設けられる構成について説明した。クレードルの配置はこれに限らず、例えば機内モニタが設けられる座席の１つ後ろの座席の肘掛けの上面または側面に設けられる構成としてもよい。
【００９１】
上記実施の形態では、通信システムの一例として、機内モニタ、クレードルおよびリモコンを備える機内モニタシステムを説明したが、通信システムとしては、機内モニタを必ずしも備える必要はない。例えば、クレードルとインターフェースを介して接続される装置は機内モニタに限らず、映像、音を表現できるプロジェクタ、ヘッドフォン等でもよい。即ち、通信システムとしては、リモコンを例に説明した第１端末およびクレードルを例に説明した第２端末を備えればよい。
【００９２】
以上のように、本開示における技術の例示として、実施の形態を説明した。そのために、添付図面および詳細な説明を提供した。
【００９３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９４】
また、上述の実施の形態は、本開示における技術を例示するためのものであるから、請求の範囲またはその均等の範囲において種々の変更、置き換え、付加、省略などを行うことができる。
【産業上の利用可能性】
【００９５】
本開示における通信システムは、容易にペアリングを行うのに有効であり、航空機や列車等における無線通信システムに適用可能である。
【符号の説明】
【００９６】
１，２，３  機内モニタシステム
２００  機内モニタ
２０１  ネットワークインターフェース
２０２  ＣＰＵ
２０３  メモリ
２０４  タッチパネル
２０６  ディスプレイ
２０７  ＵＳＢインターフェース
３００，３３０  クレードル
３０２  ＣＰＵ
３０３  メモリ
３０４  磁気センサ
３０５  赤外線受信部
３０５ａ  受光素子
３０５ｂ  復調回路
３０６  赤外線送信部
３０７  ＵＳＢインターフェース
３０９  磁石
３１１  収納部
３１２  底面
３１３  ＩＲ窓
３１５  側面
４００，４２０，４３０  リモコン
４０２  ＣＰＵ
４０３  メモリ
４０４  磁気センサ
４０５  赤外線受信部
４０５ａ  受光素子
４０５ｂ  復調回路
４０６  赤外線送信部
４０８  ＩＲトランジスタ
４０９  磁石
４１０  ＡＮＤゲート
４１１  操作部
４１２  底面
４１３  ＩＲ窓
４１４  上面
４１５  側面
５００  座席
【図１】
2018179784.tif 000003
【図２】
2018179784.tif 000004
【図３】
2018179784.tif 000005
【図４】
2018179784.tif 000006
【図５】
2018179784.tif 000007
【図６】
2018179784.tif 000008
【図７】
2018179784.tif 000009
【図８】
2018179784.tif 000010
【図９】
2018179784.tif 000011
【図１０】
2018179784.tif 000012
【図１１】
2018179784.tif 000013
【図１２】
2018179784.tif 000014
【国際調査報告】
2018179784.tif 000015
2018179784.tif 000016
2018179784.tif 000017
2018179784.tif 000018